【手続補正書】
【提出日】平成19年10月1日(2007.10.1)
【手続補正１】
【補正対象書類名】明細書
【補正対象項目名】特許請求の範囲
【補正方法】変更
【補正の内容】
【特許請求の範囲】
【請求項１】
主コンデンサと、フライバック型コンバータの一次電流をオンオフする為の第１のスイッチ素子と、トランジスタ及び該トランジスタのベース−エミッタ間に接続される第１の抵抗を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段とを有するストロボ装置において、
前記二次電流の前記所定電流レベルは、前記トランジスタのベース−エミッタ間の抵抗値で決定され、
前記二次電流検出手段の前記第１の抵抗に第２の抵抗を並列接続可能な第２のスイッチ素子を有し、該第２のスイッチ素子のオンオフ制御を行って、前記抵抗値を変更し、前記二次電流の前記所定電流レベルを切り換えることを特徴とするストロボ装置。
【請求項２】
電池電圧が所定電圧以上の場合は、前記第２のスイッチ素子をオンにして前記第１の抵抗に前記第２の抵抗を並列接続することで前記抵抗値を小さい値にして前記所定電流を大きくし、電池電圧が所定電圧未満の場合は、前記第２のスイッチ素子をオフにして前記第１の抵抗に前記第２の抵抗を並列接続せずに前記抵抗値を大きい値にして前記所定電流を小さくしたことを特徴とする請求項１に記載のストロボ装置。
【請求項３】
前記二次電流検出手段を構成する前記トランジスタのベースを前記主コンデンサの負極に接続し、前記トランジスタのエミッタを電源としての電池の負極に接続したことを特徴とする請求項１又は２に記載のストロボ装置。
【請求項４】
主コンデンサと、フライバック型コンバータの一次電流をオンオフする為の第１のスイッチ素子と、電界効果トランジスタ及び該電界効果トランジスタのゲート−ソース間に接続される第１の抵抗を備え、前記フライバック型コンバータの二次電流が所定電流以下に低下したか否かを検出する二次電流検出手段と、前記二次電流が所定電流以下に低下したことが検出されることにより、前記第１のスイッチ素子を駆動して前記一次電流をオンにしてストロボ充電を開始させる一次駆動制御手段とを有するストロボ装置において、
前記二次電流の前記所定電流レベルは、前記電界効果トランジスタのゲート−ソース間の抵抗値で決定され、
前記二次電流検出手段の前記第１の抵抗に第２の抵抗を並列接続可能な第２のスイッチ素子を有し、該第２のスイッチ素子のオンオフ制御を行って、前記抵抗値を変更し、前記二次電流の前記所定電流レベルを切り換えることを特徴とするストロボ装置。
【請求項５】
電池電圧が所定電圧以上の場合は、前記第２のスイッチ素子をオンにして前記第１の抵抗に前記第２の抵抗を並列接続することで前記抵抗値を小さな値にして前記所定電流を大きくし、電池電圧が所定電圧未満の場合は、前記第２のスイッチ素子をオフにして前記第１の抵抗に前記第２の抵抗を並列接続せずに前記抵抗値を大きくし、前記所定電流を小さくしたことを特徴とする請求項４に記載のストロボ装置。
【請求項６】
前記二次電流検出手段を構成する前記電界効果トランジスタのゲートを前記主コンデンサの負極に接続し、前記電界効果トランジスタのソースを電源としての電池の負極に接続したことを特徴とする請求項４又は５に記載のストロボ装置。
【手続補正２】
【補正対象書類名】明細書
【補正対象項目名】００１６
【補正方法】変更
【補正の内容】
【００１６】
１０９は主コンデンサであり、電荷を蓄積する。１０８は高圧整流ダイオードであり、アノードは前記トランス１０６の二次巻線の巻き始めに接続され、カソードは前記主コンデンサ１０９の陽極に接続されている。１２０はトランジスタ、１２３は前記トランジスタ１２０のベース−エミッタ間に接続される抵抗である。１２４は抵抗であり、片側がトランジスタ１２０のベースに、もう片側が後述のＦＥＴ１２５のドレインに接続されている。１２５はＦＥＴであり、ドレインは前記抵抗１２４に、ソースは前記トランジスタ１２０のエミッタに、それぞれ接続されている。このＦＥＴ１２５をオンすることで、抵抗１２４を前記抵抗１２３に対して並列に接続することができる。１２２は抵抗であり、片側が前記トランジスタ１２０のコレクタ及び後述の制御ＩＣ１０５の入力端子ｄに接続され、もう片側が補助電源Ｖccにプルアップされている。１２６は抵抗であり、ＦＥＴ１２５のゲートをプルダウンしている。
【手続補正３】
【補正対象書類名】明細書
【補正対象項目名】００２０
【補正方法】変更
【補正の内容】
【００２０】
１１１は放電管であり、上記のトリガー回路よりトリガー電圧を受け、主コンデンサ１０９に蓄積された電荷により発光する。１１２は充電電圧検出回路であり、後述の制御ＩＣ１０５内のＡ／Ｄコンバータ１０５ｂに接続され、主コンデンサ１０９に蓄積された電圧を検出する。
【手続補正４】
【補正対象書類名】明細書
【補正対象項目名】００３５
【補正方法】変更
【補正の内容】
【００３５】
図中、「一次電流」はトランス１０６の一次巻線に流れる電流を、「二次電流」はトランス１０６の二次巻線に流れる電流を、「ＦＥＴＧＡＴＥ」はＦＥＴ１０７のゲート入力信号を、「トランジスタベース−エミッタ」はトランジスタ１２０のベース−エミッタ間の電圧を、それぞれ示している。また、「二次電流ＩＣ入力信号」は、トランジスタ１２０のコレクタと抵抗１２２が接続され且つ制御ＩＣ１０５へ接続されている二次電流検出信号を示しており、「抵抗切換スイッチ」はＦＥＴ１２５がこれに相当し、該ＦＥＴ１２５のゲート信号のオンオフ信号により抵抗１２４をトランジスタ１２０のベース−エミッタ間に接続（換言すれば、抵抗１２３に抵抗１２４を並列接続）するか否かを切り換える為のものである。
【手続補正５】
【補正対象書類名】明細書
【補正対象項目名】００４３
【補正方法】変更
【補正の内容】
【００４３】
ここで所定時間まで電流駆動を行ったら、ＦＥＴ１０７のゲートをローレベルにして該ＦＥＴ１０７をオフ（「ＦＥＴＧＡＴＥ」の２のタイミング）にして電流を遮断して非導通とする。これにより、トランス１０６の二次巻線には逆起電力が発生する。この逆起電力は二次電流として、トランス１０６より高圧整流ダイオード１０８、主コンデンサ１０９、トランジスタ１２０及び抵抗１２３のループで流れ（「二次電流」の２〜３のタイミング）、主コンデンサ１０９に電荷が蓄積される。
【手続補正６】
【補正対象書類名】明細書
【補正対象項目名】００７９
【補正方法】変更
【補正の内容】
【００７９】
この二次電流ＩＣ入力信号がローレベルからハイレベルに反転したことを受けて、制御ＩＣ１０５はＦＥＴ１０７のゲートに再びハイレベル信号が発生させ、前述した一次電流駆動と同様、再びＦＥＴ１０７を導通（ＦＥＴＧＡＴＥの１のタイミング）してトランス１０６に所定時間エネルギー蓄積を行う。そして所定時間経過後、ローレベル信号によりＦＥＴ１０７を非導通としてトランス１０６から蓄積エネルギーが放出され、電荷が主コンデンサ１０９に充電される。
【手続補正７】
【補正対象書類名】明細書
【補正対象項目名】００９１
【補正方法】変更
【補正の内容】
【００９１】
また、この実施の第２の形態において、二次電流が流れている間は、ＦＥＴ１２７のゲート電圧はＶzdまで上昇する。このとき、サイリスタ１３６のゲート電位もＶzdまで上昇する。Ｖzdがカメラの電源電圧よりも大きな電圧である場合、抵抗１３９を介してカメラ制御回路２００に逆流電流が流れる。そのため、Ｖzdがカメラの電源電圧よりも大きな電圧である場合、図１２に示すように、カメラ制御回路２００の接続端子ｆと抵抗１３９の間にダイオード１４１を挿入し、カメラ制御回路２００への逆流電流を防ぐことが望ましい。
【手続補正８】
【補正対象書類名】明細書
【補正対象項目名】００９５
【補正方法】変更
【補正の内容】
【００９５】
よって、上記実施の第１の形態と同様の効果を得ることができる。
（本発明と実施の形態の対応）
図１などのＦＥＴ１０７が本発明の第１のスイッチ素子に、抵抗１２３が本発明の第１の抵抗に、抵抗１２４が本発明の第２の抵抗に、それぞれ相当する。また、図１のトランジスタ１２０または図１０のＦＥＴ１２７が本発明の第２のスイッチ素子に、図１０のＦＥＴ１２７が本発明（請求項４）の電界効果トランジスタに、それぞれ相当する。
【手続補正９】
【補正対象書類名】図面
【補正対象項目名】図５
【補正方法】変更
【補正の内容】
【図５】
2004014329.tif 000001